(57)【要約】【課題】暖機中において車両の走行時に燃料電池の出力が低下することを抑制する。【解決手段】燃料電池１１０を冷却する冷却水を循環させる燃料電池システム１００は、冷却水を燃料電池１１０に通す冷却水通路４１に設けられ、冷却水の流量を調整する流量調整手段４５と、冷却水通路４１に設けられ、冷却水を加熱するヒーター５６と、を含む。さらに燃料電池システム１００は、燃料電池１１０の運転状態に基づいて冷却水の流量を制御する流量制御部２１０と、燃料電池を暖機するときに、ヒーターの出力及び冷却水の流量を制御する暖機制御部２２０と、燃料電池システム１１０の状態に応じて暖機を制限する暖機制限部２３０と、を含む。そして燃料電池システム１００は、暖機制限部２３０が暖機を制限した場合には、冷却水の流量を制限する。【選択図】図２
2015002098.tif 000002
【特許請求の範囲】
【請求項１】
燃料電池を冷却する冷却水を循環させる燃料電池システムであって、
前記冷却水を前記燃料電池に通す冷却水通路に設けられ、前記冷却水の流量を調整する流量調整手段と、
前記冷却水通路に設けられ、前記冷却水を加熱するヒーターと、
前記燃料電池の運転状態に基づいて前記冷却水の流量を制御する流量制御部と、
前記燃料電池を暖機するときに、前記ヒーターの出力及び前記冷却水の流量を制御する暖機制御部と、
前記燃料電池システムの状態に応じて暖機を制限する暖機制限部と、を含み、
前記暖機制限部が暖機を制限した場合には、前記冷却水の流量を制限する、
燃料電池システム。
【請求項２】
請求項１に記載の燃料電池システムにおいて、
前記冷却水の流量を制限する制限値は、前記燃料電池の発熱量に基づいて設定される、
燃料電池システム。
【請求項３】
請求項２に記載の燃料電池システムにおいて、
前記制限値は、さらに、前記燃料電池の湿潤状態に基づいて設定される、
燃料電池システム。
【請求項４】
請求項１から請求項３までのいずれか１項に記載の燃料電池システムにおいて、
前記流量制御部は、
前記燃料電池の発電状態に基づいて前記冷却水の流量を制御する発電状態制御部と、
前記燃料電池システムの異常を防止するように前記冷却水の流量を制御する異常防止制御部と、を備え、
前記流量調整手段が前記発電状態制御部で制御されているときに前記暖機制限部が暖機を制限した場合には、前記発電状態制御部によって設定される冷却水の流量を制限し、
前記流量調整手段が前記異常防止制御部で制御されているときには、冷却水の流量を制限しない、
燃料電池システム。
【発明の詳細な説明】
【技術分野】
【０００１】
この発明は、低温起動時に燃料電池を暖機する燃料電池システムに関する。
【背景技術】
【０００２】
燃料電池システムで使用される燃料電池は、一般的に７０℃前後が発電に適した温度域とされている。このため、燃料電池システムを起動してからは、燃料電池を発電に適した温度域に速く昇温させることが望ましい。
【０００３】
特許文献１には、燃料電池自身を発電させることで生じる自己発熱を利用して燃料電池の暖機時間を短くする燃料電池システムが開示されている。
【先行技術文献】
【特許文献】
【０００４】
【特許文献１】特開２００９−４２４３号公報
【発明の概要】
【発明が解決しようとする課題】
【０００５】
現在開発中の燃料電池システムでは、燃料電池の湿潤状態に応じて発電効率が変わるので、システムを起動してからは、湿潤状態と相関関係のある燃料電池の内部抵抗を検出して燃料電池を良好な湿潤状態に制御している。例えば、燃料電池が乾燥状態のときには、冷却水ポンプの回転数を上げて冷却水の流量を多くする。これにより、燃料電池の温度が低下して、燃料電池内の飽和水蒸気量が下がるので、燃料電池内に液水が増加し、燃料電池が良好な発電状態に近づくことになる。
【０００６】
一方、燃料電池の暖機中においては、ヒーターで冷却水を加熱しながら、加熱した冷却水を冷却水ポンプで燃料電池に循環させている。このような暖機制御によって燃料電池の温度が上昇して燃料電池のＩＶ特性が回復してくる。そして燃料電池が、駆動モータに必要最低限の電力を供給できるＩＶ特性になると、車両に対して直ぐに走行が許可される。走行許可後は冷却水が沸騰しないように、ヒーターへの電力供給を制限すると共に冷却水ポンプの回転数を下げる。
【０００７】
しかしながら、ヒーターへの電力供給を制限した後に、例えば燃料電池の湿潤制御によって冷却水ポンプの回転数が高く設定されると、燃料電池の温度が下がってしまう。特に走行許可直後はＩＶ特性が完全に回復していないので、燃料電池の温度が下がると、燃料電池のＩＶ特性が直ぐに悪くなり、燃料電池から駆動モータへの出力電力が低下することが懸念される。
【０００８】
本発明は、このような問題点に着目してなされたものであり、暖機中において車両の走行時に燃料電池の出力が低下することを抑制する燃料電池システムを提供することを目的とする。
【課題を解決するための手段】
【０００９】
本発明は以下のような解決手段によって前記課題を解決する。
【００１０】
本発明による燃料電池システムは、燃料電池を冷却する冷却水を循環させる燃料電池システムである。この燃料電池システムは、前記冷却水を燃料電池に通す冷却水通路に設けられ、前記冷却水の流量を調整する流量調整手段と、前記冷却水通路に設けられ、前記冷却水を加熱するヒーターと、を含む。そして燃料電池システムは、前記燃料電池の運転状態に基づいて前記冷却水の流量を制御する流量制御部と、前記燃料電池を暖機するときに、前記ヒーターの出力及び前記冷却水の流量を制御する暖機制御部と、前記燃料電池システムの状態に応じて暖機を制限する暖機制限部と、を含む。燃料電池システムは、前記暖機制限部が暖機を制限した場合には、前記冷却水の流量を制限することを特徴とする。
【発明の効果】
【００１１】
この態様によれば、暖機制限部によってヒーター及流量調整手段による暖機が制限された場合には、流量制御部によって設定される冷却水の流量を制限する。
【００１２】
これにより、例えば燃料電池の湿潤状態を維持するために流量制御部によって冷却水の流量が高く設定されるような状況でも、冷却水の流量が制限されるので、燃料電池の温度低下を抑制できる。
【００１３】
このため、暖機中に燃料電池のＩＶ特性が完全に回復していない状態で車両に対して走行が許可されても、燃料電池の温度低下が原因でＩＶ特性が悪くなることを防止することができる。
【００１４】
したがって、暖機中において車両の走行時に燃料電池の出力電力が低下することを抑制することができる。
【００１５】
本発明の実施形態、本発明の利点については、添付された図面を参照しながら以下に詳細に説明する。
【図面の簡単な説明】
【００１６】
【図１】図１は、本発明の実施形態における燃料電池システムの構成を示す図である。
【図２】図２は、コントローラーの機能構成を示すブロック図である。
【図３】図３は、冷却水ポンプ制御部の機能構成を示すブロック図である。
【図４】図４は、流量制限部の制限マップを示す図である。
【図５】図５は、暖機制限時の冷却水の流量制限を示すタイムチャートである。
【発明を実施するための形態】
【００１７】
（第１実施形態）
図１は、本発明の実施形態における燃料電池システム１００の構成を示す図である。
【００１８】
燃料電池システム１００は、燃料電池スタック１１０に対して外部から発電に必要な燃料ガスを供給し、負荷に応じて発電する電源システムである。本実施形態では、車両を駆動する駆動モータなどに電力を供給する。
【００１９】
燃料電池システム１００は、燃料電池スタック１１０と、カソードガス給排装置１２０と、アノードガス給排装置１３０と、スタック冷却装置１４０と、内部抵抗測定装置１５０と、コントローラー１６０と、を備える。なお、カソードガス給排装置１２０、アノードガス給排装置１３０、及びスタック冷却装置１４０は、燃料電池システム１００の補機である。
【００２０】
燃料電池スタック１１０は、例えば数百Ｖ（ボルト）の電圧を発電する。燃料電池スタック１１０は、駆動モータや補機に接続される。燃料電池スタック１１０は、数百枚の燃料電池（電池セル）を積層したものである。
【００２１】
燃料電池は、アノード電極（燃料極）と、カソード電極（酸化剤極）と、アノード電極及びカソード電力で挟まれる電解質膜と、により構成される。燃料電池は、アノード電極に水素を含有するアノードガス（燃料ガス）と、カソード電極に酸素を含有するカソードガス（酸化剤ガス）とを用いて電解質膜で電気化学反応を起こす。アノード電極及びカソード電極の両電極では、以下の電気化学反応が進行する。
【００２２】
アノード電極  ：  ２Ｈ2 →  ４Ｈ+ ＋  ４ｅ-                 ・・・（１）
カソード電極  ：  ４Ｈ+  ＋４ｅ-  ＋  Ｏ2 →  ２Ｈ2Ｏ       ・・・（２）
【００２３】
燃料電池では、上記（１）及び（２）の電気化学反応によって起電力が生じると共に水が生成される。燃料電池は互いに直列に接続されているため、燃料電池スタック１１０では、各燃料電池に生じるセル電圧の総和が出力電圧となる。
【００２４】
燃料電池スタック１１０は、カソードガス給排装置１２０からカソードガスが供給され、アノードガス給排装置１３０からアノードガスが供給される。
【００２５】
カソードガス給排装置１２０は、燃料電池スタック１１０にカソードガスを供給すると共に、燃料電池スタック１１０から排出されるカソードオフガスを大気に排出する装置である。
【００２６】
カソードガス給排装置１２０は、カソードガス供給通路２１と、フィルター２２と、カソードコンプレッサー２３と、カソード圧力センサー２４と、カソードガス排出通路２５と、カソード調圧弁２６と、を備える。
【００２７】
カソードガス供給通路２１は、燃料電池スタック１１０にカソードガスを供給するための通路である。カソードガス供給通路２１の一端は、外気から酸素を取り込む通路と連通し、他端はカソードガス入口孔１２１に接続される。
【００２８】
フィルター２２は、カソードガス供給通路２１に設けられ、カソードガスに含まれる異物を除去する。
【００２９】
カソードコンプレッサー２３は、フィルター２２よりも下流に位置するカソードガス供給通路２１に設けられる。カソードコンプレッサー２３は、外気からカソードガス供給通路２１に酸素を取り込み、カソードガスとして燃料電池スタック１１０に供給する。
【００３０】
カソード圧力センサー２４は、カソードコンプレッサー２３とカソードガス入口孔１２１との間のカソードガス供給通路２１に設けられる。カソード圧力センサー２４は、カソードガスの圧力を検出する。カソード圧力センサー２４は、検出した値をコントローラー１６０に出力する。カソード圧力センサー２４の検出値は、例えばカソード調圧弁２６の開度の調整に用いられる。
【００３１】
カソードガス排出通路２５は、燃料電池スタック１１０からカソードオフガスを排出するための通路である。カソードガス排出通路２５の一端はカソードガス出口孔１２２に接続され、他端は開口している。
【００３２】
カソード調圧弁２６は、カソードガス排出通路２５に設けられる。カソード調圧弁２６は、コントローラー１６０によって開閉制御される。この開閉制御によって、カソード調圧弁２６よりも上流側の通路を流れるカソードガスの圧力が所望の圧力に調節される。
【００３３】
アノードガス給排装置１３０は、燃料電池スタック１１０にアノードガスを供給すると共に、燃料電池スタック１１０から排出されるアノードオフガスに含まれる不純物を除去して燃料電池スタック１１０に循環させる装置である。
【００３４】
アノードガス給排装置１３０は、高圧タンク３１と、アノードガス供給通路３２と、アノード調圧弁３３と、アノード圧力センサー３４と、を備える。さらにアノードガス給排装置１３０は、アノードガス循環通路３５と、気液分離装置３６と、パージ弁３７及びパージ弁３８と、循環ポンプ３９と、排出通路３５１及び排出通路３５２と、を備える。
【００３５】
高圧タンク３１は、燃料電池スタック１１０に供給するアノードガスを高圧状態に保って貯蔵する。
【００３６】
アノードガス供給通路３２は、高圧タンク３１から燃料電池スタック１１０にアノードガスを供給するための通路である。アノードガス供給通路３２の一端は、高圧タンク３１に接続され、他端は、アノードガス入口孔１３１に接続される。
【００３７】
アノード調圧弁３３は、アノードガス供給通路３２に設けられる。アノード調圧弁３３は、コントローラー１６０によって開閉制御される。この開閉制御によって、アノードガス供給通路３２から燃料電池スタック１１０に供給するアノードガスの圧力が調節される。
【００３８】
アノード圧力センサー３４は、アノード調圧弁３３とアノードガス入口孔１３１との間のアノードガス供給通路３２に設けられる。アノード圧力センサー３４は、アノードガスの圧力を検出する。アノード圧力センサー３４は、検出した値をコントローラー１６０に出力する。アノード圧力センサー３４の検出値は、例えばアノード調圧弁３３の開度の調整に用いられる。
【００３９】
アノードガス循環通路３５は、燃料電池スタック１１０から排出されるアノードガスをアノードガス供給通路３２に循環させる通路である。アノードガス循環通路３５の一端は、燃料電池スタック１１０のアノードガス出口孔１３２に接続され、他端は、アノード調圧弁３３とアノード圧力センサー３４との間のアノードガス供給通路３２に合流する。
【００４０】
循環ポンプ３９は、アノードガス循環通路３５に設けられる。循環ポンプ３９は、気液分離装置３６を通過したアノードガスを燃料電池スタック１１０に循環させる。
【００４１】
気液分離装置３６は、アノードガス循環通路３５に設けられる。アノードガス循環通路３５には、燃料電池スタック１１０からアノードオフガスが排出される。アノードオフガスには、発電反応に使用されなかった余剰のアノードガスと共に、カソードガスに含まれる不活性ガスの窒素や、発電反応によって生成される水などの不純物が含まれている。
【００４２】
気液分離装置３６は、アノードオフガスに含まれる水や窒素ガスなどの不純物を余剰のアノードガスから分離する。気液分離装置３６は、例えば、アノードオフガスを一時的に蓄えるバッファタンクであり、アノードオフガス中の水蒸気を凝縮して液水にする。気液分離装置３６で不純物が除去されたアノードガスは、アノードガス循環通路３５を通り再び燃料電池スタック１１０に供給される。また、気液分離装置３６の下部には排出通路３５１が設けられている。
【００４３】
排出通路３５１は、気液分離装置３６によって分離された不純物を排出するための通路である。排出通路３５１の一端は、気液分離装置３６の排出孔に接続され、他端は、カソード調圧弁２６よりも下流のカソードガス排出通路２５に合流する。
【００４４】
パージ弁３７は、排出通路３５１に設けられる。パージ弁３７は、コントローラー１６０によって開閉制御される。この開閉制御によって、窒素ガスや液水などの不純物がカソードガス排出通路２５へ排出される。
【００４５】
排出通路３５２は、循環ポンプ３９の下流でアノードガス循環通路３５から分岐して、カソード調圧弁２６よりも下流のカソードガス排出通路２５と合流する。
【００４６】
パージ弁３８は、排出通路３５２に設けられる。パージ弁３８は、アノードガスをカソードガス排出通路２５へ排出する。パージ弁３８は、コントローラー１６０によって開閉制御される。
【００４７】
スタック冷却装置１４０は、冷媒である冷却水を用いて燃料電池スタック１１０を冷却して燃料電池スタック１１０を発電に適した温度に調整する。また、スタック冷却装置１４０は、燃料電池システム１００が零下で起動されたときには、冷却水を加熱して燃料電池スタック１１０を暖機する。
【００４８】
さらにスタック冷却装置１４０は、カソード調圧弁２６、パージ弁３７及びパージ弁３８についても冷却水を利用して暖機する。なお、カソード調圧弁２６、パージ弁３７及びパージ弁３８のことを以下では「排出バルブ」ともいう。
【００４９】
スタック冷却装置１４０は、冷却水循環通路４１と、ラジエーター４２と、バイパス通路４３と、サーモスタット４４と、冷却水ポンプ４５と、ヒーター４６と、水温センサー４７と、水温センサー４８と、分岐通路５１と、水温センサー５２と、を備える。
【００５０】
冷却水循環通路４１は、燃料電池スタック１１０に冷却水を循環させる通路である。
【００５１】
ラジエーター４２は、冷却水循環通路４１に設けられる。ラジエーター４２は、燃料電池スタック１１０で温められた冷却水を冷却する。
【００５２】
バイパス通路４３は、ラジエーター４２をバイパスする通路である。バイパス通路４３の一端は、冷却水循環通路４１に接続され、他端は、サーモスタット４４に接続される。
【００５３】
サーモスタット４４は、バイパス通路４３が冷却水循環通路４１に合流する部分に設けられる。サーモスタット４４は開閉弁である。サーモスタット４４は、内部を流れる冷却水の温度によって自動的に開閉する。
【００５４】
例えば、サーモスタット４４は、内部を流れる冷却水の温度が所定の開弁温度よりも低いときには閉じた状態となり、バイパス通路４３を経由してきた冷却水のみを燃料電池スタック１１０に供給する。これにより、燃料電池スタック１１０には相対的に高温の冷却水が流れる。
【００５５】
一方、サーモスタット４４は、内部を流れる冷却水の温度が開弁温度以上になると、徐々に開き始める。そしてサーモスタット４４は、バイパス通路４３を経由してきた冷却水と、ラジエーター４２を経由してきた冷却水と、を内部で混合して燃料電池スタック１１０に供給する。これにより、燃料電池スタック１１０には相対的に低温の冷却水が流れる。
【００５６】
冷却水ポンプ４５は、冷却水循環通路４１に設けられ冷却水の流量を調整する流量調整手段である。なお、流量調整手段としては、冷却水ポンプ４５に限られず、冷却水ポンプ４５の代わりに、例えば吐出流量が一定のポンプの下流に調圧弁を設けて冷却水の流量を調整しても良く、三方弁を設けて冷却水の流量を調整しても良い。
【００５７】
冷却水ポンプ４５は、サーモスタット４４と燃料電池スタック１１０の入口孔との間の冷却水循環通路４１に設けられる。冷却水ポンプ４５は、冷却水を燃料電池スタック１１０に循環させる。冷却水ポンプ４５の吐出流量は、コントローラー１６０によって制御される。冷却水ポンプ４５に対する供給電力を大きくするほど、冷却水ポンプ４５の吐出流量は大きくなる。
【００５８】
ヒーター４６は、サーモスタット４４と冷却水ポンプ４５との間の冷却水循環通路４１に設けられる。ヒーター４６は、燃料電池スタック１１０の暖機時に通電され、冷却水を温める。ヒーター４６の発熱量は、燃料電池スタック１１０からの供給電力が大きくなるほど多くなる。ヒーター４６としては、例えばＰＴＣヒーターが使用される。
【００５９】
水温センサー４７は、燃料電池スタック１１０の流入口近傍の冷却水循環通路４１に設けられる。水温センサー４７は、燃料電池スタック１１０に流入する冷却水の温度（以下「スタック入口水温」という。）を検出する。水温センサー４７は、検出したスタック入口水温をコントローラー１６０に出力する。
【００６０】
水温センサー４８は、燃料電池スタック１１０の流出口付近の冷却水循環通路４１に設けられる。水温センサー４８は、燃料電池スタック１１０から排出された冷却水の温度（以下「スタック出口水温」という。）を検出する。水温センサー４８は、検出したスタック出口温度をコントローラー１６０に出力する。
【００６１】
分岐通路５１は、冷却水ポンプ４５の下流の冷却水循環通路４１から分岐して、カソード調圧弁２６、パージ弁３７及びパージ弁３８をそれぞれ通過し、冷却水ポンプ４５の上流の冷却水循環通路４１に合流する。カソード調圧弁２６、パージ弁３７及びパージ弁３８は、燃料電池スタック１１０の発電状態を良好に維持するために用いられる部品である。
【００６２】
分岐通路５１によってパージ弁３７及びパージ弁３８よりも先にカソード調圧弁２６に冷却水を通過させる理由は、発電に伴う生成水はカソード側で発生するので、生成水は、カソードガス排出通路２５から先に排出されやすい。そのため、ヒーター４６で加熱された冷却水をカソード調圧弁２６から先に通すことにより、パージ弁３７及びパージ弁３８よりもカソード調圧弁２６の暖機を優先して行うことができる。
【００６３】
水温センサー５２は、カソード調圧弁２６、パージ弁３７及びパージ弁３８の下流の分岐通路５１に設けられる。水温センサー５２は、パージ弁３８を通過した冷却水の温度（以下「パージ弁出口水温」という。）を検出する。水温センサー５２は、検出したパージ弁出口水温をコントローラー１６０に出力する。
【００６４】
内部抵抗測定装置１５０は、燃料電池スタック１１０の湿潤度を推定するために、燃料電池スタック１１０の内部抵抗（インピーダンス）を測定する。電解質膜の湿潤度が小さいほど（電解質膜中の水分が少なく乾き気味であるほど）インピーダンスが大きくなり、電解質膜の湿潤度が大きいほど（電解質膜中の水分が多く濡れ気味であるほど）インピーダンスが小さくなる。
【００６５】
内部抵抗測定装置１５０は、例えば、燃料電池スタック１１０の内部抵抗（ＨＦＲ：High Frequency Resistance）を測定する。内部抵抗測定装置１５０は、燃料電池スタック１１０の電圧端子１１９の一方に交流電流を供給し、交流電流によって電圧端子１１９間に生じる電圧の振幅を検出する。内部抵抗測定装置１５０は、検出した振幅を交流電流の振幅で除算して内部抵抗値を算出する。内部抵抗測定装置１５０は、内部抵抗値をコントローラー１６０に出力する。
【００６６】
コントローラー１６０は、中央演算装置（ＣＰＵ）、読み出し専用メモリ（ＲＯＭ）、ランダムアクセスメモリ（ＲＡＭ）、及び入出力インタフェース（Ｉ／Ｏインタフェース）を備えたマイクロコンピューターで構成される。
【００６７】
コントローラー１６０には、水温センサー４７からスタック入口水温が入力され、水温センサー４８からスタック出口水温が入力され、内部抵抗測定装置１５０から燃料電池スタック１１０の内部抵抗値が入力される。
【００６８】
コントローラー１６０は、燃料電池スタック１１０に対する発電要求に応じて、カソードコンプレッサー２３、カソード調圧弁２６、アノード調圧弁３３、パージ弁３７及びパージ弁３８を制御する。これにより、燃料電池スタック１１０に供給されるカソードガス及びアノードガスが、発電に適した流量に調整される。
【００６９】
さらにコントローラー１６０は、スタック入口水温、スタック出口水温や、内部抵抗値などの測定値に基づいて、燃料電池スタック１１０を良好な発電状態に維持する。
【００７０】
例えば、燃料電池スタック１１０の発電効率は、電解質膜の湿潤状態によって変わるため、コントローラー１６０は、内部抵抗測定装置１５０で測定される内部抵抗値に基づいて、燃料電池スタック１１０を良好な湿潤状態に制御する。例えば、コントローラー１６０は、燃料電池スタック１１０が乾燥状態のときには、冷却水ポンプ４５の回転数を上げて冷却水の流量を多くする。これにより、燃料電池スタック１１０の温度が下がりやすくなるので、電解質膜内の飽和水蒸気量が低下して電解質膜内の液水が増加し、燃料電池スタック１１０を良好な発電状態に近づけることができる。
【００７１】
また燃料電池システム１００の起動時においては、コントローラー１６０は、燃料電池スタック１１０を発電に適した発電温度（例えば６０℃）まで暖機する制御（以下「暖機促進運転」という）を実行する。
【００７２】
暖機促進運転では、コントローラー１６０は、燃料電池スタック１１０を補機に電気的に接続し、補機の駆動に必要な電力を燃料電池スタック１１０で発電させる。これにより、発電に伴う発熱によって燃料電池スタック１１０自体が暖機される。さらにコントローラー１６０は、ヒーター４６で冷却水を加熱しながら、冷却水ポンプ４５を駆動して燃料電池スタック１１０に冷却水を循環させる。
【００７３】
このような暖機制御によって燃料電池スタック１１０の温度が上昇し、これに伴いＩＶ特性が回復してくる。そして燃料電池スタック１１０が駆動モータに必要最低限の電力を供給できるＩＶ特性になると、車両に対して走行が許可される。この後も燃料電池スタック１１０が発電に適した温度に達するまで暖機促進運転が継続される。
【００７４】
一方、走行許可後は、ヒーター４６の加熱によって冷却水が沸騰しないように、ヒーター４６に対する供給電力がゼロに制限される。暖機促進運転中にヒーター４６をオフすると、燃料電池スタック１１０は自己発熱によって温度が上昇する一方、冷却水はヒーター４６では加熱されないので、燃料電池スタック１１０の方が冷却水よりも温度が高くなる。この状態で冷却水ポンプ４５を駆動し続けると燃料電池スタック１１０の温度が下がってしまう。この対策として、ヒーター４６による暖機を制限する場合には、冷却水ポンプ４５の駆動も同時に停止している。
【００７５】
しかしながら、ヒーター４６への電力供給が制限された後に、例えば燃料電池スタック１１０の湿潤制御によって、冷却水ポンプ４５の回転数が高く設定される場合がある。この場合には、燃料電池スタック１１０への冷却水の流量が多くなり、燃料電池スタック１１０の温度が下がってしまう。特に走行許可直後はＩＶ特性が完全に回復していないため、燃料電池スタック１１０の温度が下がると、ＩＶ特性が直ぐに悪くなり、燃料電池スタック１１０から駆動モータへの出力電力が低下することが懸念される。
【００７６】
そこで、本発明では、走行許可後にヒーターによる暖機促進運転が制限された場合に、冷却水の流量を制限して燃料電池スタックのＩＶ特性の悪化を防止する。
【００７７】
図２は、本実施形態におけるコントローラー１６０の機能構成を示すブロック図である。コントローラー１６０は、スタック冷却装置１４０を制御する冷却水ポンプ制御部２００を備える。
【００７８】
冷却水ポンプ制御部２００は、流量制御部２１０と、暖機制御部２２０と、暖機制限部２３０と、スタック出力低下抑制部２４０と、冷却水ポンプ指令部２５０と、を備える。
【００７９】
流量制御部２１０は、燃料電池スタック１１０の運転状態に基づいて、冷却水の流量を制御する。
【００８０】
例えば、流量制御部２１０は、燃料電池スタック１１０の湿潤状態に応じて冷却水ポンプ４５に対する要求流量をスタック出力低下抑制部２４０に設定する。あるいは、流量制御部２１０は、燃料電池スタック１１０の温度が、発電に適した所定の温度になるように冷却水ポンプ４５に対する要求流量を設定する。
【００８１】
暖機制御部２２０は、零下起動時の燃料電池スタック１１０を暖機するときに、ヒーター４６の発熱量（出力）及び冷却水の流量を、それぞれ暖機促進のための所定値に制御する。
【００８２】
例えば、暖機制御部２２０は、冷却水ポンプ４５のポンプ回転数を可変範囲の上限値に設定すると共に、ヒーター４６に対する供給電力を可変範囲の上限値に設定する。これにより、冷却水ポンプ４５及びヒーター４６で消費される発電電力が最も大きくなり、燃料電池スタック１１０の自己発熱量が増えるので、燃料電池システム１００を起動してから暖機が完了するまでの暖機時間を短縮できる。
【００８３】
暖機制御部２２０は、燃料電池スタック１１０から駆動モータに電力を供給できる条件が成立しているか否かを判定し、条件が成立している場合には、駆動モータによる走行を許可する。
【００８４】
例えば、暖機制御部２２０は、所定周期ごとに、燃料電池スタック１１０の電流を一定の範囲で振幅させたときに、燃料電池スタック１１０の電流値及び電圧値を検出し、検出した電流値及び電圧値に基づいて燃料電池スタック１１０のＩＶ特性を推定する。そして暖機制御部２２０は、そのＩＶ特性が、車両を所定の速度まで加速できる特性か否かを判定し、ＩＶ特性が所定の特性を超えている場合には、走行を許可する。
【００８５】
暖機制限部２３０は、走行許可後に、暖機制御部２２０によって設定される冷却水ポンプ４５及びヒーター４６の設定値を、燃料電池システム１００の状態に応じて制限する。
【００８６】
暖機制限部２３０は、例えば、走行許可後に冷却水の温度が所定の閾値を超えている場合には、ヒーター４６に対する設定値をゼロにすると共に、ポンプ回転数の設定値をゼロにすることで、冷却水ポンプ４５およびヒーター４６を燃料電池システム１００の状態に応じた設定値にすることができる。
【００８７】
燃料電池スタック１１０の温度上昇によって冷却水の温度が上昇している状態では、ヒーター４６によって冷却水を加熱し続けるとヒーター４６の近傍で冷却水が沸騰する恐れがある。そのため、暖機制限部２３０は、走行許可後に暖機促進運転中であってもヒーター４６の設定値をゼロに制限することより、冷却水の沸騰を防止している。
【００８８】
スタック出力低下抑制部２４０は、暖機制限部２３０によって走行許可後にヒーター４６に対する設定値が制限された場合には、流量制御部２１０によって設定される冷却水の流量を制限する。これにより、走行許可後の燃料電池スタックの温度（以下「スタック温度」という）の低下を防止できるので、走行中に燃料電池スタック１１０のＩＶ特性が悪くなって出力電力が低下することを防止できる。
【００８９】
具体的には、暖機制限部２３０によって冷却水ポンプ４５及びヒーター４６の設定値が共にゼロに制限された場合に、流量制御部２１０によって電解質膜が乾燥状態のため冷却水ポンプ４５の流量が高く設定される可能性がある。この場合にスタック出力低下抑制部２４０は、スタック温度を維持できる所定の流量を、冷却水の流量の上限値（以下「上限流量」という）として設定する。なお、上限流量は、冷却水の流量を制限する制限値である。
【００９０】
スタック出力低下抑制部２４０は、流量制御部２１０によって設定された冷却水の流量が上限流量を超えないように、ポンプ回転数の目標値を設定する。
【００９１】
冷却水ポンプ指令部２５０は、冷却水ポンプ４５の回転数が目標値となるように、燃料電池スタック１１０から冷却水ポンプ４５に電力を供給する。
【００９２】
このように、燃料電池スタック１１０の暖機中において、走行が許可された後、暖機制限部２３０によってヒーター４６の出力が制限されたときには、スタック温度を維持できる値に冷却水ポンプ４５の流量を制限する。これにより、燃料電池スタック１１０のＩＶ特性の悪化を抑制できるので、燃料電池スタック１１０から駆動モータに供給する出力電力の低下を防止できる。
【００９３】
次に冷却水ポンプ制御部２００の構成例について図３を参照して説明する。
【００９４】
図３は、冷却水ポンプ制御部２００の詳細構成を示すブロック図である。
【００９５】
流量制御部２１０は、湿潤状態調整部２１１と、消費電力調整部２１２と、膜透過量調整部２１３と、を備える。また、暖機制御部２２０は、スタック暖機流量設定部２２１と、バルブ暖機流量設定部２２２と、を備える。さらに、スタック出力低下抑制部２４０は、上限流量設定部２４１と、流量制限部２４２と、目標流量設定部２４３と、を備える。
【００９６】
湿潤状態調整部２１１は、燃料電池スタック１１０の発電状態に基づいて冷却水の流量を制御する発電状態制御部である。
【００９７】
湿潤状態調整部２１１は、電解質膜での発電効率を良好にするために、内部抵抗測定装置１５０で測定された内部抵抗値に基づいて冷却水の目標流量を算出する。例えば、湿潤状態調整部２１１には、内部抵抗値と目標流量とが互いに対応付けられたマップが予め記憶される。そして湿潤状態調整部２１１は、内部抵抗測定装置１５０から測定値を受け付けると、マップを参照し、測定値に対応付けられた目標流量を取得する。
【００９８】
湿潤状態調整部２１１は、内部抵抗値が大きいほど電解質膜が乾燥状態にあるため、冷却水の目標流量を大きくする。これにより、冷却水によって燃料電池スタック１１０の温度が下がるので、飽和水蒸気量が下がり、水蒸気から液水になる生成水量が増加するため、電解質膜の湿潤度を発電に適した湿潤度に近づけることができる。一方、湿潤状態調整部２１１は、内部抵抗値が小さいほど冷却水の目標流量を小さくして、電解質膜を乾燥させる。
【００９９】
消費電力調整部２１２は、暖機に必要な発電電力を確保するために、補機の消費電力やバッテリーの電力などの収支を調整する。例えば、消費電力調整部２１２は、燃料電池システム１００の目標電力をカソードコンプレッサー２３、冷却水ポンプ４５や、ヒーター４６などの補機で消費させるために、各補機に対する供給電力を調整する。目標電力は、例えば、燃料電池スタック１１０の自己発熱に必要な所定の発電電力からバッテリーの補充電力を減算した値である。
【０１００】
消費電力調整部２１２は、目標電力に応じて冷却水の要求流量（下限値）を設定する。消費電力調整部２１２は、目標電力が大きくなるほど、冷却水ポンプ４５の消費電力を大きくするために、冷却水の要求流量を大きくする。一方、消費電力調整部２１２は、目標電力が小さくなるほど、冷却水ポンプ４５の消費電力を小さくするために、冷却水の要求流量を小さくする。消費電力調整部２１２は、電力消費のための要求流量を目標流量設定部２４３に出力する。
【０１０１】
膜透過量調整部２１３は、燃料電池システム１００の異常を防止するように冷却水の流量を制御する異常防止制御部である。
【０１０２】
膜透過量調整部２１３は、燃料電池スタック１１０内のカソードガス流路から電解質膜を介してアノードガス流路に透過してくる不活性ガスの透過量を減らすために、冷却水の流量を調整する。電解質膜は、温度が低くなるほど不活性ガスの透過量が少なくなる特性を有する。不活性ガスとは、カソードガスに含まれる窒素ガスのことである。
【０１０３】
アノードガス流路に滞留する窒素ガスは、パージ弁３８からアノードガスと共に排出される。またアノードガス中の水素は、カソードガス排出通路２５を流れるカソードガスによって希釈され大気に排出される。アノードガスの排出量は、安全性の観点から規定の水素濃度を超えないように制限されるため、窒素ガスの排出量も制限される。窒素ガスの排出量が制限されると、アノードガス流路に滞留する窒素ガスが増加するため、発電領域での水素濃度が下がり、燃料電池スタック１１０の電圧が著しく低下する。その結果、燃料電池スタック１１０の電圧が所定のフェール閾値よりも低くなり、システム異常と判断され、燃料電池システム１００を緊急停止しなければならなくなる。
【０１０４】
この対策として、膜透過量調整部２１３は、窒素ガスの排出量が制限されたときに滞留量が所定の閾値を超えている場合には、スタック温度を下げて電解質膜からアノードガス流路への窒素ガスの透過量を減らすために、冷却水の流量を高く制御する。
【０１０５】
膜透過量調整部２１３は、アノードガス流路に滞留する窒素ガスの滞留量に応じて、冷却水の要求流量（下限値）を設定する。窒素ガスの滞留量は、例えば、目標電流に基づいて推定される。具体的には膜透過量調整部２１３は、滞留量が大きくなるほど、電解質膜の透過量を減らすために、冷却水の要求流量を小さくする。そして膜透過量調整部２１３は、透過抑制のための要求流量を目標流量設定部２４３に出力する。
【０１０６】
スタック暖機流量設定部２２１は、ヒーター４６で加熱した冷却水によって燃料電池スタック１１０を暖機するために、冷却水の要求流量を設定する。
【０１０７】
本実施形態では、スタック暖機流量設定部２２１は、暖機制限信号線２３１から、ヒーター４６のＯＮ状態を示すヒーター設定情報を受け付けると、スタック暖機のための要求流量を冷却水ポンプ４５の設定範囲の上限値に設定する。
【０１０８】
一方、スタック暖機流量設定部２２１は、暖機制限信号線２３１から、ヒーター４６のＯＦＦ状態を示すヒーター設定情報を受け付けると、スタック暖機のための要求流量を冷却水ポンプ４５の設定範囲の下限値であるゼロに設定する。
【０１０９】
ヒーター設定情報は、図２に示した暖機制限部２３０から出力される。暖機制限部２３０は、走行許可後に冷却水の沸騰を防止するためにヒーター４６に対する供給電力をゼロに設定し、スタック暖機のための要求流量を制限する情報としてヒーター４６のＯＦＦ状態を示すヒーター設定情報を、スタック暖機流量設定部２２１に出力する。これにより、スタック暖機流量設定部２２１は、スタック暖機のための要求流量がゼロに制限される。
【０１１０】
バルブ暖機流量設定部２２２は、燃料電池スタック１１０又はヒーター４６で加熱された冷却水によって排出バルブを暖機するために、冷却水の要求流量を設定する。これにより、排出バルブの暖機が促進される。したがって、発電に伴う生成水が排出バルブに到達する前に排出バルブの温度を早期に０℃に昇温させることが可能になり、排出バルブの凍結を防止することができる。
【０１１１】
本実施形態では、バルブ暖機流量設定部２２２は、暖機制限信号線２３１から、スタック出口水温とパージ弁出口水温とを示す冷却水温度情報を受け付ける。そしてバルブ暖機流量設定部２２２は、スタック出口水温とパージ弁出口水温との温度差が大きくなるほど、冷却水の循環による冷却水から排出バルブへの放熱量を大きくするために、冷却水の要求流量を大きくする。さらにバルブ暖機流量設定部２２２は、燃料電池スタック１１０の生成水量が多くなるほど、排出バルブの暖機を促進するために、冷却水の要求流量を大きくする。
【０１１２】
例えば、バルブ暖機流量設定部２２２には、燃料電池スタック１１０の生成水量ごとに、スタック出口水温及びパージ弁出口水温の温度差と、冷却水の流量とが互いに対応付けられたマップが予め記録される。そしてバルブ暖機流量設定部２２２は、冷却水温度情報を受け付けると、マップを参照して、冷却水温度情報に基づく温度差と、発電に伴う生成水量とで冷却水の要求流量を特定し、その要求流量を目標流量設定部２４３に出力する。
【０１１３】
また、バルブ暖機流量設定部２２２は、冷却水温度情報に示されたパージ弁出口水温が所定の閾値、例えば氷点温度（０℃）を超えている場合には、排出バルブの凍結対策が完了するため、バルブ暖機のための要求流量をゼロに制限する。
【０１１４】
冷却水温度情報は、図２に示した暖機制限部２３０から出力される。暖機制限部２３０は、パージ弁出口水温が０℃を超えると、冷却水ポンプ４５の消費電力を低減するためにバルブ暖機のための要求流量を制限する情報として０℃以上のパージ弁出口水温をバルブ暖機流量設定部２２２に出力する。これにより、バルブ暖機流量設定部２２２は、バルブ暖機のための要求流量がゼロに制限される。
【０１１５】
上限流量設定部２４１は、暖機制限部２３０によるスタック暖機流量設定部２２１及びバルブ暖機流量設定部２２２の要求流量の制限に伴う、燃料電池スタック１１０の出力電力の低下を回避するために、冷却水の流量を制限する制限値を設定する。
【０１１６】
上限流量設定部２４１は、車両に対する走行を許可してから暖機が完了するまでの間、燃料電池スタック１１０の発熱量に基づいて、スタック温度を維持できる流量を、冷却水の上限流量として演算する。発熱量は、燃料電池スタック１１０で発電した電力と電圧とを乗算した値である。
【０１１７】
上限流量設定部２４１は、燃料電池スタック１１０の発熱量が大きくなるほど、スタック温度が下がりにくくなるので、冷却水の上限流量を高くする。一方、上限流量設定部２４１は、発熱量が小さくなるほど、スタック温度が下がりやすくなるので、冷却水の上限流量を低くする。
【０１１８】
本実施形態では、燃料電池スタック１１０の発熱量と、発熱量によって定まる上限流量とが互いに対応付けられた制限マップが上限流量設定部２４１に予め記録される。上限流量設定部２４１は、燃料電池スタック１１０の発熱量を取得すると、制限マップを参照し、その発熱量によって特定される冷却水の上限流量を算出し、その冷却水の上限流量を流量制限部２４２に出力する。なお、制限マップについては図４を参照して説明する。
【０１１９】
流量制限部２４２は、上限流量設定部２４１で設定される上限流量と、湿潤状態調整部２１１で設定される要求流量とのうち小さい方の流量を、冷却水の上限流量として目標流量設定部２４３に設定する。これにより、流量制限部２４２の上限流量によって湿潤状態調整部２１１の要求流量が制限されるので、スタック温度の低下を抑制することができる。
【０１２０】
目標流量設定部２４３は、流量制限部２４２で設定された上限流量と、消費電力調整部２１２、膜透過量調整部２１３、スタック暖機流量設定部２２１及びバルブ暖機流量で設定された各要求流量とのうち、最も大きな流量を冷却水の目標流量に設定する。そして目標流量設定部２４３は、冷却水の目標流量を、図３で示した冷却水ポンプ指令部２５０に出力する。
【０１２１】
本実施形態では、燃料電池スタック１１０の暖機中において、走行許可後に湿潤状態調整部２１１の要求流量が、上限流量設定部２４１の上限流量よりも大きくなる場合がある。このため、湿潤状態調整部２１１の要求流量を流量制限部２４２に設定することにより、湿潤状態調整部２１１の要求流量は、上限流量設定部２４１の上限流量に制限される。
【０１２２】
これにより、暖機制限部２３０によってヒーター４６がＯＦＦに設定された状態で、湿潤状態調整部２１１によって冷却水の流量を高くしてスタック温度を下げてしまうことを防ぐことができる。したがって、燃料電池スタック１１０の出力電力の低下を抑制することができる。
【０１２３】
また、消費電力調整部２１２及び膜透過量調整部２１３は、燃料電池システム１００の異常を回避するために冷却水の流量を制御するものである。したがって、消費電力調整部２１２及び膜透過量調整部２１３の各要求流量は、流量制限部２４２による要求流量の制限を禁止するために、目標流量設定部２４３に設定される。
【０１２４】
これにより、消費電力調整部２１２及び膜透過量調整部２１３は、上限流量設定部２４１の上限流量で制限されないので、システム異常を回避しつつ、燃料電池スタック１１０の出力低下を抑制することができる。
【０１２５】
図４は、上限流量設定部２４１に保持される制限マップを示す図である。図４では、縦軸が冷却水の上限流量であり、横軸が燃料電池スタック１１０の発熱量である。
【０１２６】
制限マップでは、スタック出口水温ごとに、燃料電池スタック１１０の発熱量と、冷却水の上限流量とが互いに対応付けられている。冷却水の上限流量は、スタック温度の低下による燃料電池スタック１１０の出力低下を回避できる流量に設定されている。本実施形態ではスタック温度を維持できる所定の流量に設定されている。この冷却水の上限流量は、例えば、実験データに基づいて決められる。
【０１２７】
冷却水の上限流量は、燃料電池スタック１１０の発熱量が小さいほど、小さくなる。このため、燃料電池スタック１１０の発熱量が低いときには、スタック温度の低下を抑制するので、暖機を優先させることができる。
【０１２８】
また、冷却水の上限流量は、燃料電池スタック１１０の発熱量が大きくなるほど、大きくなる。このため、燃料電池スタック１１０が乾燥状態であり、スタック温度を低くしたいときには、スタック温度を維持しつつ、湿潤状態の悪化を抑えることができる。したがって、燃料電池スタック１１０の出力電力の低下を抑制しつつ、発電効率の低下を抑制することができる。
【０１２９】
また制限マップでは、同一の発熱量において、スタック入口水温が低いほど、冷却水の上限流量が小さくなる。これにより、冷却水の温度が低く、燃料電池スタック１１０の温度が低いほど、燃料電池スタック１１０の暖機を優先させることができる。
【０１３０】
次に冷却水ポンプ制御部２００の動作例について図５を参照して説明する。
【０１３１】
図５は、スタック出力低下抑制部２４０によってポンプ回転数を制限したときの燃料電池システム１００の状態を示すタイミングチャートである。
【０１３２】
図５（Ａ）は、燃料電池スタック１１０の内部抵抗値を示す図である。図５（Ａ）には、内部抵抗測定装置１５０の測定値が実線で示され、湿潤状態を良好に維持するための目標値が破線で示されている。
【０１３３】
図５（Ｂ）は、冷却水ポンプ４５のポンプ回転数を示す図である。図５（Ｂ）には、上限流量設定部２４１の上限流量に基づくポンプ回転数が実線で示され、湿潤状態調整部２１１の要求流量に基づくポンプ回転数が破線で示され、暖機制御部２２０の要求流量が暖機制限部２３０によって制限されたときのポンプ回転数が一点鎖線で示されている。
【０１３４】
図５（Ｃ）は、冷却水の温度を示す図である。図５（Ｃ）には、冷却水の温度としてスタック入口水温が実線で示され、湿潤状態調整部２１１の要求流量が目標流量に設定されたときのスタック入口水温が破線で示されている。図５（Ｄ）は、ヒーター４６に対する供給電力を示す図である。また、図５（Ａ）から図５（Ｄ）は、共通の時間軸で示されている。
【０１３５】
時刻ｔ０では、図５（Ａ）に示すように、内部抵抗値が目標値よりも高く、燃料電池スタック１１０が乾燥状態にあるので、図５（Ｂ）に示すように、スタック温度を下げるために湿潤状態調整部２１１の要求流量が、上限値ＭＡＸ近くに設定される。また、図５（Ｂ）及び図５（Ｃ）に示すように、スタック暖機流量設定部２２１によって、ヒーター４６が設定範囲の上限値ＭＡＸに設定されると共に、冷却水ポンプ４５の流量が設定範囲の上限値ＭＡＸに設定される。
【０１３６】
このとき、スタック暖機流量設定部２２１の要求流量は、上限値ＭＡＸであり、湿潤状態調整部２１１の要求流量よりも大きい。そのため、図５（Ｂ）に示すように、スタック暖機流量設定部２２１の要求流量が目標流量として選択される。
【０１３７】
時刻ｔ１では、ＩＶ特性の推定処理によって燃料電池スタック１１０が所定のＩＶ特性を超えていると判定され、燃料電池スタック１１０から駆動モータに電力が供給可能となり、車両の走行が許可される。
【０１３８】
そして冷却水の沸騰を防止するため、図５（Ｄ）及び図５（Ｃ）に示すように、暖機制限部２３０によってヒーター４６に対する供給電力がゼロに制限されると共に、ポンプ回転数もゼロに制限される。このため、スタック暖機流量設定部２２１の要求流量は、湿潤状態調整部２１１の要求流量よりも小さくなる。
【０１３９】
このとき、図５（Ｂ）に示すように、上限流量設定部２４１によって冷却水の上限流量が設定される。このため、冷却水ポンプ４５の目標流量が、湿潤状態調整部２１１の要求流量よりも低い上限流量に制限されるので、図５（Ｃ）に示すように冷却水の温度の低下が防止される。これにより、燃料電池スタック１１０の温度低下による出力低下が回避される。
【０１４０】
その後、図５（Ｂ）に示すように、燃料電池スタック１１０の発電に伴う発熱量の増加によって上限流量設定部２４１の上限電流が徐々に大きくなる。その結果、図５（Ａ）に示すように、内部抵抗値が目標値よりもさらに大きくならずに一定に維持されている。
【０１４１】
本発明の形態によれば、暖機制限部２３０によって走行許可後にヒーター４６及冷却水ポンプ４５による暖機が制限された場合には、流量制御部２１０によって設定される冷却水の流量を制限する。
【０１４２】
これにより、例えばヒーター４６がＯＦＦされた状態で流量制御部２１０によって湿潤状態を維持するために冷却水の流量が高く設定されるような状況でも、冷却水の流量が低く制限されるので、スタック温度の低下を抑制できる。
【０１４３】
したがって、燃料電池スタック１１０の暖機中において、車両が走行しているときに、スタック温度の低下による燃料電池スタック１１０の出力電力の低下を防止することができる。
【０１４４】
また、本実施形態では、冷却水の流量を制限するための上限流量（制限値）は、図４に示すように、燃料電池スタック１１０の発熱量に基づいて設定される。例えば、上限流量設定部２４１は、燃料電池スタック１１０の発熱量が小さいほど、冷却水の上限流量を低くする。
【０１４５】
これにより、燃料電池スタック１１０の自己発熱量が比較的少ないときは、湿潤状態調整部２１１による流量制御よりも、燃料電池スタック１１０の暖機を優先させることができる。
【０１４６】
さらに、冷却水の上限流量は、燃料電池スタック１１０の湿潤状態に基づいて設定される。すなわち、上限流量設定部２４１は、燃料電池スタック１１０の発熱量が大きくなるほど、冷却水の上限流量を高くする。
【０１４７】
これにより、燃料電池スタック１１０が乾燥状態のときは、スタック温度を維持しつつ、電解質膜を湿潤状態に近づけることができる。したがって、燃料電池スタック１１０の暖機を確保しつつ、発電効率を改善することができる。
【０１４８】
また、本実施形態では、湿潤状態調整部２１１は、燃料電池スタック１１０の発電状態に基づいて冷却水の流量を制御する。また、膜透過量調整部２１３は、燃料電池システム１００の異常を防止するように冷却水の流量を制御する。
【０１４９】
そして、冷却水ポンプ４５が湿潤状態調整部２１１で制御されているときに暖機制限部２３０がヒーター４６に対する供給電力を制限した場合には、流量制限部２４２は、冷却水の流量を上限流量設定部２４１の上限流量で制限する。
【０１５０】
一方、流量制限部２４２は、冷却水ポンプ４５が膜透過量調整部２１３で制御されているときには、上限流量設定部２４１の上限流量で冷却水の流量を制限しない。
【０１５１】
これにより、湿潤状態調整部２１１の要求流量は上限流量設定部２４１の上限流量で制限されるので、スタック温度の低下に伴う燃料電池スタック１１０の出力電力の低下を抑制できる。一方、膜透過量調整部２１３の要求流量は、上限流量設定部２４１の上限流量で制限されないので、スタック温度を下げて窒素ガスの滞留量の増加を抑制できる。このため、発電領域での窒素濃度の増加に伴う燃料電池スタック１１０の電圧低下によるシステム異常を確実に防止することができる。
【０１５２】
したがって、燃料電池システム１００の異常を回避しつつ、燃料電池スタック１１０の出力電力の維持を図ることができる。
【０１５３】
以上、本発明の実施形態について説明したが、上記実施形態は本発明の適用例の一部を示したに過ぎず、本発明の技術的範囲を上記実施形態の具体的構成に限定する趣旨ではない。
【０１５４】
なお、上記実施形態は、適宜組み合わせ可能である。
【符号の説明】
【０１５５】
１００  燃料電池システム
１１０  燃料電池スタック（燃料電池）
４１  冷却水循環通路（冷却水通路）
４５  冷却水ポンプ（流量調整手段）
２００  冷却水ポンプ制御部
２１０  流量制御部
２１１  湿潤状態調整部（発電状態制御部）
２１３  膜透過量調整部（異常防止制御部）
２２０  暖機制御部
２３０  暖機制限部
【図１】
2015002098.tif 000003
【図２】
2015002098.tif 000004
【図３】
2015002098.tif 000005
【図４】
2015002098.tif 000006
【図５】
2015002098.tif 000007